(57)【要約】【課題】  「腕置き」に対する遊戯者の快適感や嗜好に合う適合性が小さく、取扱いに支障が生じる場合があり、ホールに良好な雰囲気を与えないことがある等。【解決手段】遊戯機用腕置きを使用しない人や店舗にとって邪魔や不快にならないために不使用時に積載部がテーブルより下方に収納される。「腕置き」に対する遊戯者の快適感や嗜好に合う適合性を大きなものとするために積載部は上下方向、及び水平前後方向の位置調整ができ、さらには水平回動してハンドルへ向けての角度調整ができる。また、積載部はテーブルの垂直上方にあるようにできハンドル近くに設置できること、及び使用時に積載部は、一番高い位置となる該固定部の回動軸の垂直線から外れてあるので、使用時に腕が少々動いても積載部が該固定部の回動軸の垂直線をのり越えて回動しないので高い快適感と適合性を得るなどする。【選択図】図１
2011206172.tif 000002
【特許請求の範囲】
【請求項１】
遊技機のテーブルに連結設置する固定部と腕を置く積載部と夫々を結ぶアーム部から成り、固定部は略コの字形状でテーブルに着脱自在に取り付けられ、積載部は固定部の略“コ”の字の内縦面（即ちテーブルの正面が当てがわれる面）の延長面上にあるように設置でき、アーム部は一端部が固定部に回動自在に連結され別端部において積載部が回動自在にかつ積載部が１８０度回動したときに水平前後方向に位置が変わる回動軸に連結されかつ該積載部の回動で積載部がアーム部から上下方向に移動し、正面から見て積載部の中心が使用時に該固定部の回動軸の垂直線から外れてテーブルより上方に位置し、不使用時に積載部の中心がアーム部を回動させて該固定部の回動軸の垂直線を通過して積載部がテーブルより下方に位置して収納されることを特徴とする遊戯機用腕置き。
【請求項２】
固定部は２部品から成る略コの字形状でテーブルの平面と底面を挟み込んで着脱自在に取り付けられ、アーム部は一端部が固定部正面に回動自在に連結され、使用時に正面から見て該回動の軸から横方向に延びたのち垂直上方に延びた形状であり、該垂直上方に延びた形成部に積載部を上下方向に移動させるネジが設けられ、側面から見てアーム部と積載部の回動軸は固定部の略“コ”の字の内縦面の延長面より遊戯者側にあり、積載部の中心がアーム部を回動させて該固定部の回動軸の垂直線を通過させれば人手をかけることなく積載部がテーブルより下方に位置して収納されることを特徴とする請求項１に記載の遊戯機用腕置き。
【請求項３】
積載部はその底面に水平板を有し、水平板の一端部は積載部に回動自在に連結され別端部は部端部に回動自在に連結されることを特徴とする請求項１或いは２に記載の遊戯機用腕置き。
【発明の詳細な説明】
【技術分野】
【０００１】
本発明は、長時間の遊戯機のハンドル操作で生じる腕や肩等の疲労に対処すべく、遊戯機のハンドルを操作する腕を置くもので、遊技機のテーブルに取付け用いる遊戯機用腕置きである。
【背景技術】
【０００２】
複数の遊戯機用腕置きの報告があり、積載部の位置を上下方向に調整できるものが報告されている。これは単に腕を載せるだけではなく「腕置き」に対する遊戯者の快適感や嗜好への適合性が上がるので良いが、根本的に遊戯機用腕置き自体を使用しない人にとっては単に邪魔で不快であり、店舗側ではテーブルより上に積載部が並ぶためにホールに堅苦しさや威圧感が生じるので、積載部を下方へ移動する等の対処を望む声があった。
【０００３】
不使用時に積載部をテーブル高さまで下げて収納できるものが報告されており、前記支障が生じず好ましい。しかしながら、積載部が上下方向に位置調整することができないので遊戯者の快適感や嗜好に合う適合性は良くない。また積載部が巾狭いため腕が不安定になったり腕に食い込むなどするので積載部の巾を広げることが望まれる。積載部は安定感ある快適な腕置きのために使用時に少なくともその一部がテーブルの垂直上方に位置するように設置できることが望まれる。即ち、遊技機のハンドルの高さ及びテーブルの巾が多様であるために、結果、積載部がハンドルに近く設置できることが必要となる。しかしながら、この構造においては積載部は収納途中でテーブルに干渉して収納できないのでテーブルの垂直上方に設置することはできない。遊戯者の快適感や嗜好への適合性を大きなものにするために、積載部は上下方向同様に水平前後方向にも位置調整できることが望まれる。また、テーブルへの取付けはテーブルへネジを組み付けて行なわれるのでテーブルに穴が付くことを嫌う店舗もある。また、金属製なので固いイメージを持つ人がいたり高価になる場合がある。
【先行技術文献】
【特許文献】
【０００４】
【特許文献１】特開２００３−２６５８５０号公報
【特許文献２】特許第４１８３２７４号公報
【発明の概要】
【発明が解決しようとする課題】
【０００５】
「腕置き」に対する遊戯者の快適感や嗜好に合う適合性が小さく、取扱いに支障が生じることがあり、ホールに良好な雰囲気を与えない場合がある等。
【課題を解決するための手段】
【０００６】
本発明は、請求項１記載の遊戯機用腕置きとすることであり、遊戯機用腕置きを使用しない人や店舗にとって邪魔や不快にならないために不使用時に積載部がテーブルより下方に収納される。「腕置き」に対する遊戯者の快適感や嗜好に合う大きな適合性を有するために積載部は上下方向、及び水平前後方向の位置調整ができ、さらには水平回動してハンドルへ向けての角度調整ができる。また、積載部は固定部の略“コ”の字の内縦面（即ちテーブルの正面が当てがわれる面）の延長面上にあるようにできることで積載部はテーブルの垂直上方に位置することができる、及び使用時に積載部は、一番高い位置となる固定部の回動軸の垂直線から外れてあるので、使用時に腕が少々動いても積載部が固定部の回動軸の垂直線をのり越えて回動しないので安心で快適な操作性を得る。さらに、合成樹脂で形成すれば多様な形状や色に対応でき、楽しく美しいなど多様な雰囲気創りにも適合でき、さらには効率良い生産で安価な遊戯機用腕置きを供給することができる。
【０００７】
好ましくは、請求項２記載の遊戯機用腕置きとすることであり、穴が生じるなどテーブルの外観形状を変化させることなく固定部を設置するようにし、アーム部を回動させて該固定部の回動軸の垂直線を通過させれば、積載部がテーブルの垂直上方にあっても、積載部がテーブルに当たって自然に積載部が回動して積載部がテーブルより下方に収納されるようにする。即ち、人手をかけて積載部を回動させて収納する手間を省き操作し易いものとする。
【０００８】
さらに好ましくは、請求項３記載の遊戯機用腕置きとすることであり、積載部の水平前後方向の位置調整幅を大きくし、水平左右方向にも大きく動くことで積載部の位置調整能力が立体的な優れた能力を得る。
【発明の効果】
【０００９】
本発明の遊戯機用腕置きは、「腕置き」に対する遊戯者の快適感や嗜好に合う適合性が大きく、良好な取扱いができ、ホールに良好な雰囲気に与える。詳しくは、積載部は上下・水平前後方向の位置調整、及び水平回動してのハンドルへ向けての角度調整ができる。また、積載部をテーブルの垂直上方に設けハンドルに近づけることができので、積載部に腕を快適に載せて使用することができる。また、遊戯機用腕置きを使用しない人や店舗にとって邪魔や不快にならない。さらには、合成樹脂で形成すれば形状や色或いは雰囲気などで、例えば、楽しい・美しい・活気あるなどの集客力でプラスになることを容易に創出することができ安価に供給できるので遊戯者にも店舗側にも好ましい。さらには、テーブルの外観形状を変化させることなく固定部を設置することも可能なので店舗側にとっては扱い易く導入し易い。不使用時には、アーム部を少し回動させるだけで簡単に積載部をテーブルより下方に収納することができ、また、積載部を水平左右方向にも大きく動かし高い位置調整能力を有することもできる。
【図面の簡単な説明】
【００１０】
【図１】図１は本発明の遊技機用腕置きの左側面図。（実施例１）
【図２】図２は正面図。
【図３】図３は図２におけるＡ−Ａ断面参考図。
【図４】図４は斜視図。
【図５】図５は積載部が１８０°回動した左側面図。
【図６】図６は積載部が上下移動した左側面図。
【図７】図７は取付け状態を示す左側面参考図。
【図８】図８は使用状態を示す参考図。
【図９】図９は積載部が収納された状態を示す参考図。
【図１０】図１０は実施例２の遊技機用腕置きの左側面図。（実施例２）
【図１１】図１１は斜視図。
【図１２】図１２は積載部が回動した斜視参考図。
【図１３】図１３は実施例３の遊技機用腕置きの正面図。（実施例３）
【図１４】図１４は実施例４の遊技機用腕置きの左側面図である。（実施例４）
【発明を実施するための形態】
【００１１】
解決しようとする課題に対し、好ましく、最小の部品点数で実現した。
【実施例１】
【００１２】
図１から図９において説明すれば、固定部１は２部品から成り上部部品に設置されたネジで下部部品を締め上げテーブルに着脱自在に取り付ける。テーブル９に当たる部分にゴムなどの弾性体を設置しておけばテーブル９への密着性が上がり、テーブル９にキズが付かないので良い。素材は色々採用できるが例えば、合成樹脂を用い射出成形で形成すれば高い生産性と良好な意匠性で好ましい。強度や長期間の耐久性を考慮すれば例えばガラスファイバー添加ポリアミドやポリアセタール等の樹脂を用いれば良い。さらにリブを設置すれば剛性を得ながら軽量化が図れるので好ましく、使用時に外観から見えないところに設置すれば良い。積載部２やアーム部３も同様に形成すればさらに生産効率が上がり意匠的にも一体感が出て良い。アーム部３の一端部を固定部１の正面部で円筒状に嵌合させネジを用い回動自在に連結すればコンパクトに収まり全体的な形状もシンプルになるので良い。アーム部３の別端部と積載部２をネジ嵌合で回動自在に連結すれば上下方向にも容易に位置調整できるので良い。ネジ部８のネジピッチは比較的大きいものにして積載部２の回動でメリハリのついた上下方向の位置調整がなされるのが良い。また、積載部２は１８０度回動すれば積載部２が前後方向に大きく位置が変わるようにに積載部２の回動軸５を設けるのが良い。固定部１の内縦面４の延長面上に積載部２があることや前後方向の位置調整能力に係るので効果的かつ効率的に設定されたい。アーム部３は図のようにシンプルな形状にし、かつ積載部の中心６が固定部回動軸の垂直線７から大きく外して積載部２に大きな安定感を持たす。また、使用時にアーム部３が簡単に回動しないように固定部１の正面にアーム部３をとめる係止部を設けるのも好ましい。側面から見てのアーム部３と積載部２の回動軸５を固定部１の内縦面４の延長面より遊戯者側に設けて、積載部２の手間のかからない収納を得る。例えば、図９において積載部２が図５のようにハンドルから遠く設けられていたならば、積載部２はさらにテーブル９より下方に収納される。積載部２は腕が食い込まないように面積を確保し少し湾曲させておけば腕が楽に保持されるので良い。
【実施例２】
【００１３】
図１０から図１２において説明すれば、積載部２の底面に水平板１１を設ける。水平板１１は積載部２及びアーム部２と各々連結回動させて、実施例１より大きな積載部２の位置調整能力を得る。回動の手法は実施例１同様にすれば良い。
【実施例３】
【００１４】
図１３において説明すれば、実施例１とは違ったアーム部３形状を示したもので、色々な形態にすることができる。デザインや操作性を考慮して設計すれば良い。
【実施例４】
【００１５】
図１４において説明すれば、アーム部３は固定部１の底面に連結し回動させることもできる。同様に固定部１の側面に連結回動させることもできるので、デザインや操作性を考慮して設計すれば良い。特に、樹脂製であれば透明にすることも可能であるし、多様な形状・色にも対応できるので幅広くデザイン検討できる。
【符号の説明】
【００１６】
１    固定部
２    積載部
３    アーム部
４    内縦面
５    回動軸
６    積載部の中心
７    固定部回動軸の垂直線
８    ネジ部
９    テーブル
１０  ハンドル
１１  水平板
【図１】
2011206172.tif 000003
【図２】
2011206172.tif 000004
【図３】
2011206172.tif 000005
【図４】
2011206172.tif 000006
【図５】
2011206172.tif 000007
【図６】
2011206172.tif 000008
【図７】
2011206172.tif 000009
【図８】
2011206172.tif 000010
【図９】
2011206172.tif 000011
【図１０】
2011206172.tif 000012
【図１１】
2011206172.tif 000013
【図１２】
2011206172.tif 000014
【図１３】
2011206172.tif 000015
【図１４】
2011206172.tif 000016